(57)【要約】【課題】異常の報知のためのデータを実際の現場に即した状態で設定する。【解決手段】減少重量モードの時（ステップ３２）、実際の盗難を想定して重量計測装置１から品物Ｇを実際に減少させ、この重量の減少前後の重量差を算出して減少重量として記憶する（ステップ３３）。時間モードの時（ステップ４２）、時計などを見ながら、実際の盗難時間を想定してサブ設定スイッチ４を実際に押し続けて（ステップ３１、４３、４４）、この時間データを減少時間として記憶する（ステップ４５）。実際に品物を補充すべき状態まで重量計測装置１から品物Ｇを実際に減少させ、この重量を補充重量として記憶する（ステップ５３）。減少時間内に（ステップ７５〜７６）、減少重量以上減少したら（ステップ７１〜７３）、異常報知をし（ステップ７４）、補充重量以下となったら（ステップ７７）、補充報知をする。【選択図】図６
2015102369.tif 000002
【特許請求の範囲】
【請求項１】
複数の品物が載置されて、この複数の品物の重量を計測する重量計測機構と、
この計測される重量が、所定時間内に所定重量減少したときに、報知を行う報知手段と、を備えた重量報知装置において、
上記減少する所定重量を設定する減少重量モードを設定し、
この減少重量モードの設定時に、上記重量計測機構から実際に上記品物を減少させて、この重量の減少前の重量を上記重量計測機構から取り込んで記憶し、さらにこの重量の減少後の重量を上記重量計測機構から取り込んで記憶し、これら減少前後の重量から当該品物の重量の減少量を算出し、この算出量を上記報知を行うための上記所定重量として記憶し、
上記報知を行うための上記所定時間を設定する減少時間モードを設定し、
この減少時間モードの設定時に、実際に時間を設定して、この設定された時間を、上記報知を行うための上記所定時間として記憶することを特徴とする重量報知方法。
【請求項２】
複数の品物が載置されて、この複数の品物の重量を計測する重量計測機構と、
この計測される重量が、所定時間内に所定重量減少したときに、報知を行う報知手段と、を備えたコンピュータに対して、
上記減少する所定重量を設定する減少重量モードを設定する処理と、
この減少重量モードの設定時に、上記重量計測機構から実際に上記品物を減少させて、この重量の減少前の重量を上記重量計測機構から取り込んで記憶し、さらにこの重量の減少後の重量を上記重量計測機構から取り込んで記憶し、これら減少前後の重量から当該品物の重量の減少量を算出し、この算出量を上記報知を行うための上記所定重量として記憶する処理と、
上記報知を行うための上記所定時間を設定する減少時間モードを設定する処理と、
この減少時間モードの設定時に、実際に時間を設定して、この設定された時間を、上記報知を行うための上記所定時間として記憶する処理を実行させる重量報知のためのコンピュータプログラム。
【請求項３】
複数の品物が載置されて、この複数の品物の重量を計測する重量計測機構と、
この計測される重量が、所定時間内に所定重量減少したときに、報知を行う報知手段と、
上記減少する所定重量を設定する減少重量モードを設定する手段と、
この減少重量モードの設定時に、上記重量計測機構から実際に上記品物を減少させて、この重量の減少前の重量を上記重量計測機構から取り込んで記憶し、さらにこの重量の減少後の重量を上記重量計測機構から取り込んで記憶し、これら減少前後の重量から当該品物の重量の減少量を算出し、この算出量を上記報知を行うための上記所定重量として記憶する手段と、
上記報知を行うための上記所定時間を設定する減少時間モードを設定する手段と、
この減少時間モードの設定時に、実際に時間を設定して、この設定された時間を、上記報知を行うための上記所定時間として記憶する手段とを備えたことを特徴とする重量報知装置。
【請求項４】
上記品物が減って品物を補充するにあたり、この補充すべき品物の重量を設定する補充重量モードを設定する手段と、
この補充重量モードの設定時に、上記重量計測機構から実際に上記品物を減少させて、このときの重量を上記重量計測機構から取り込んで記憶し、上記報知を行うための補充の所定重量として記憶する手段と、をさらに備えたことを特徴とする請求項３記載の重量報知装置。
【請求項５】
上記減少重量モードの設定と、上記減少時間モードの設定とを択一的に制御する手段をさらに備えたことを特徴とする請求項３記載の重量報知装置。
【請求項６】
上記補充重量モードの設定と、上記減少重量モードの設定とを択一的に制御する手段をさらに備えたことを特徴とする請求項４記載の重量報知装置。
【請求項７】
上記重量計測機構は、複数に分けられ、この複数のそれぞれがデータ送受手段を有し、各データ送受手段を通じて上記品物の重量のデータが上記記憶する手段に送られ、この記憶する手段は、これらの複数の重量のデータを合算して、上記算出及び記憶をすることを特徴とする請求項３または５記載の重量報知装置。
【請求項８】
上記重量計測機構は、複数に分けられ、この複数のそれぞれがデータ送受手段を有し、各データ送受手段を通じて上記品物の重量のデータが上記記憶する手段に送られ、この記憶する手段は、これらの複数の重量のデータを合算して、上記記憶をすることを特徴とする請求項４または６記載の重量報知装置。
【発明の詳細な説明】
【技術分野】
【０００１】
本発明は、重量報知装置に関し、特に商品等の品物の盗難などを、重量変化などによって検出して報知する装置に関する。
【背景技術】
【０００２】
近年、商品陳列棚に陳列された商品群の重量変化を検出し、この重量変化の内容から、正規の購入と、万引きなどの盗難などの異常とを区別して、報知するものが考えられてきている。ところが、正規の購入時の重量変化と、万引きなどの盗難などの異常時の重量変化とを区別するための、重量設定がなかなか難しく、現場に合致した重量データの設定が難しかった。
【０００３】
【特許文献１】特開２００９−７２３９１号公報
【発明の開示】
【発明が解決しようとする課題】
【０００４】
本発明は、上述した課題を解決するためになされたものであり、本発明の目的は、正規の購入時の重量変化と、万引きなどの盗難などの異常時の重量変化とを区別して報知でき、この報知のための重量データを実際の現場に即した状態で設定できるようにすることである。
【課題を解決するための手段】
【０００５】
上記目的を達成するために、本発明は、  複数の品物が載置されて、この複数の品物の重量を計測する重量計測機構と、  この計測される重量が、所定時間内に所定重量減少したときに、報知を行う報知手段と、を備え、  減少重量モードの設定時に、上記重量計測機構から実際に上記品物を減少させて、この重量の減少前の重量を上記重量計測機構から取り込んで記憶し、さらにこの重量の減少後の重量を上記重量計測機構から取り込んで記憶し、これら減少前後の重量から当該品物の重量の減少量を算出し、この算出量を上記報知を行うための上記所定重量として記憶し、  減少時間モードの設定時に、実際に時間を設定して、この設定された時間を、上記報知を行うための上記所定時間として記憶するようにした。
【発明の効果】
【０００６】
これにより、実際の盗難を想定して重量計測機構から実際に上記品物を減少させ、この重量の減少前後の両重量を上記重量計測機構から取り込んで記憶するので、  実際の現場で、万引きなどの異常時の重量変化を正確に想定でき、現場にあった重量データの入力・設定ができる。
【図面の簡単な説明】
【０００７】
【図１】品物・商品を乗せた複数の重量計測装置１（重量計測機構）の正面を示す。
【図２】複数の重量計測装置１（重量計測機構）の上面を示す。
【図３】重量計測装置１（重量計測機構）の側面を示す。
【図４】重量計測装置１（重量計測機構）の中の全体回路を示す。
【図５】今回合算重量データ、前回合算重量データ、減少重量データ、減少時間データ、補充重量データを算出・記憶する処理のフローチャートを示す。
【図６】今回合算重量データ、前回合算重量データ、減少重量データ、減少時間データ、補充重量データを算出・記憶する処理のフローチャートを示す。
【図７】今回合算重量データ、前回合算重量データ、減少重量データ、減少時間データ、補充重量データを算出・記憶する処理のフローチャートを示す。
【図８】品物Ｇの減少が異常なとき、品物Ｇの補充が必要なとき、報知をする処理のフローチャートを示す。
【符号の説明】
【０００８】
１…重量計測装置（重量計測機構）、２…メイン設定スイッチ、
３…メイン設定ＬＥＤ、４…サブ設定スイッチ、
５…サブ設定ＬＥＤ、６…ＬＡＮ入力ジャック、
７…ＬＡＮ出力ジャック、８…ＬＡＮケーブル、
２１…コントローラ、２２…アドレス／データバスライン、
２３…入力部、２４…出力部、
２５…インターフェース部、２６…情報記憶部、
２７…プログラム／データ記憶部、２８…無線発信機、
２９…無線受信機、３０…報知装置。
【発明を実施するための最良の形態】
【０００９】
（１）重量報知装置の外観
図１は、品物Ｇ（商品）を乗せた複数の重量計測装置１（重量計測機構）の正面を示す。図２は、複数の重量計測装置１（重量計測機構）の上面を示す。
【００１０】
この重量計測装置１は電子回路を備えた体重計と同じ構造であり、この体重計を上下裏返した状態で使用され、上面に脚突起があり、直方体状で、上面に載置された単数又は複数の品物の重量が計測されて、計測された重量データが記憶され出力される。
【００１１】
この重量計測装置１は、平坦で水平な床などの面の上に配列される。この配列は、一列でもよいし、多数列でもよいし、隙間なく隣接して配列されてもよいし、隙間があって配列されてもよいし、単数でもよい。
【００１２】
これら複数の重量計測装置１の上の４つの脚突起の上に、平板Ｂまたはパレット（図示せず）が載置され、この平板Ｂまたはパレットの上に複数の品物Ｇ（商品）、例えば袋詰めの米、箱入り又はまとめられた缶飲料、ペット飲料、瓶飲料、缶麦酒、ペットボトルまたは瓶入りの水、茶、ジュースが載置される。
図３は、重量計測装置１（重量計測機構）の側面を示す。重量計測装置１の側面には、メイン設定スイッチ２、メイン設定ＬＥＤ３、サブ設定スイッチ４、サブ設定ＬＥＤ５、ＬＡＮ入力ジャック６、ＬＡＮ出力ジャック７が設けられている。
【００１３】
メイン設定スイッチ２によって、報知（警報）するための、所定重量（反応重量）、所定時間（反応時間）、補充重量を種々設定するデータ入力モードが設定される。このデータ入力モードが設定されている間、メイン設定ＬＥＤ３が点滅される。
【００１４】
このデータ入力モードで、重量計測装置１の上に載置されている品物Ｇをおろして減少させ、サブ設定スイッチ４を押すと、報知を行う減少重量データ（反応重量データ）が設定される。これにより、重量計測装置１で計測される重量データが、所定重量減少したときに、報知を行うための減少重量データが設定される。この直後にサブ設定ＬＥＤ５が１秒間点灯される。
【００１５】
このデータ入力モードで、時計などを見ながら、サブ設定スイッチ４を押し続けた時間だけ、上記減少する所定重量（反応重量）が所定時間（反応時間）以内に発生すれば、報知（警報）するための、この所定時間が減少時間データ（反応時間データ）として設定される。この直後にサブ設定ＬＥＤ５が１秒間点灯される。
【００１６】
このデータ入力モードで、上記減少時間データが設定された後に、重量計測装置１の上に載置されている品物Ｇをおろして、補充を行うべき状態まで減少させ、サブ設定スイッチ４を押すと、報知を行う補充重量データ（商品補充重量）が設定される。この直後にサブ設定ＬＥＤ５が１秒間点灯される。
【００１７】
ＬＡＮ入力ジャック６と他の重量計測装置１のＬＡＮ出力ジャック７との間、及びＬＡＮ出力ジャック７と他の重量計測装置１のＬＡＮ入力ジャック６との間は、ＬＡＮケーブル８で接続され、各重量計測装置１で計測された重量データが送受信されて合算され、上記減少重量データ及び補充重量データが合算された状態で設定される。このＬＡＮケーブル８の接続はシリーズまたは継続接続・従属接続であるが、パラレルでもよい。
【００１８】
（２）全体回路
図４は、重量計測装置１（重量計測機構）の中の全体回路を示し、重量報知のデータ処理装置、重量報知方法を実現するための装置、重量報知のためのコンピュータプログラムを実行する装置、重量報知装置の全体回路を示す。この全体回路は、複数の重量計測装置１の中の１つに設けられているが、複数または全部の重量計測装置１の中に設けられてもよい。
【００１９】
この全体回路は、コントローラ２１（中央処理演算装置であるＣＰＵ、ＲＯＭ、ＲＡＭなど）を中心に、アドレス信号及びデータ信号が双方向に伝達されるアドレス／データバスライン２２を介して入力部２３、出力部２４、インターフェース部２５、情報記憶部２６、プログラム／データ記憶部２７等と電気的に接続されて構成されている。
【００２０】
入力部２３は、上記重量を計測する重量計測装置１、上記メイン設定スイッチ２、上記サブ設定スイッチ４、場合によってキーボ−ド、マウス、タッチパネル、デジタイザなどの文字入力装置などからなっている。重量計測装置１からは、重量データが随時取り込まれ、前回の重量データに対し今回の重量データの変化が検出される。文字入力装置からは、文章データのほか、上記減少重量データ、減少時間データ、補充重量データなどの各種データを処理するためのコマンド、設定・指示データ、その他の情報が入力されてもよい。
【００２１】
出力部２４は、上記メイン設定ＬＥＤ３、サブ設定ＬＥＤ５、場合によってディスプレイ、プリンタなどから構成されており、上記減少重量データ、減少時間データ、補充重量データなどの各種データ、種々の情報の入力画面、制御画面、出力画面などが表示画面に表示／印刷されるなどの出力処理が行われる。
【００２２】
インターフェース部２５は、上記ＬＡＮ入力ジャック６、ＬＡＮ出力ジャック７などの送受信回路などからなり、外部入力装置と外部出力装置とからなる外部装置が接続される。このインターフェース部２５のＬＡＮ入力ジャック６、ＬＡＮ出力ジャック７を通じて、上記各重量計測装置１で計測される重量データなどのほか、その他のデータ、コマンド、設定・指示データ、その他の情報、プログラムが送受される。
【００２３】
外部接続された重量計測装置１からの重量データには、各重量計測装置１を識別する識別コードモード付加されており、この識別コードごとに、前回の重量データに対し今回の重量データの変化が検出される。この変化があると、各重量データが合算される。
【００２４】
このインターフェース部２５には、無線発信機２８が接続され、この無線発信機２８を通じて異常報知信号（異常警報信号）または補充報知信号（補充警報信号）が出力される。この異常報知信号（異常警報信号）または補充報知信号（補充警報信号）は、無線受信機２９に受信され、報知装置３０を通じて報知／警報が発せられる。
【００２５】
この報知装置３０は、店内放送装置であったり、店内の社員の所持する携帯電話に電話音声またはメールで連絡をする電話装置であったり、店内の社員の所持する携帯パソコンにメールで連絡をするパソコン装置であったりする。このインターフェース部２５には、ＬＡＮ回線、電話回線、インターネット回線なども接続され、同様に上記画像データなどが送受される。
【００２６】
プログラム／データ記憶部２７（内部記憶媒体／手段）はフラッシュメモリ、ＥＥＰＲＯＭ、ＥＰＲＯＭ、ＣＤ−ＲＯＭなどＲＯＭ等の不揮発性メモリと、ＲＡＭ、キャッシュメモリ、ハードディスク、磁気カード、磁気ディスク、ＣＤ−ＲＡＭ、ＤＶＤ（デジタルビデオディスク）等が用いられた一時記憶メモリという大別して２種類の記憶装置（記憶手段）から構成されている。
【００２７】
そして、プログラム／データ記憶部２７のＲＯＭには、重量計測装置１（全体回路）で実行されるプログラムや各種処理に使用される汎用データが記憶される。このプログラムは後述するフローチャートに対応している。また、プログラム／データ記憶部２７の一時記憶メモリには、プログラム処理中のデータの一時的な蓄積等、つまりワーキングメモリ若しくはキャッシュメモリとして用いられる。
【００２８】
また、情報記憶部２６（外部記憶補助媒体／手段、補助記憶媒体）は、磁気ディスク、光ディスク、フレキシブルディスク（プロッピィーディスク）、磁気ドラム、磁気テープ、メモリカード、ＣＤ−ＲＡＭ、ＣＤ−ＲＯＭ、ＤＶＤなどの大量情報記憶／保存メディアとそれらのメディアへの情報書き込み／読み出し装置等（ドライブ装置、インターフェイス回路）から構成されている。
【００２９】
なお、場合によって、重量報知装置は、情報記憶部２６のＲＯＭ内に予め記憶されたプログラムによって単一の処理が行われる専用装置とされ、情報記憶部２６に保存されたプログラムが、適宜、プログラム／データ記憶部２７のＲＡＭ内に呼び込まれて起動される汎用のコンピュータ装置とされる。この場合は、情報記憶部２６には、コントローラ２１によって実行される基本ソフト（オペレーティングソフト）、システムソフト、応用プログラムを含む各プログラムが保存されている。
【００３０】
そして、重量報知装置の電源立ち上げ時、または新たなプログラムの起動時等において、情報記憶部２６から読み出され、プログラム／データ記憶部２７のＲＡＭ等に一時的に保存されると共に、コントローラ２１によって実行される。つまり、織物用の画像データ処理装置によって実行されるプログラムが、情報記憶部２６に保存されており、適宜読み出されてコントローラ２１によって実行される。
【００３１】
この場合、新たなプログラムへの変更は、情報記憶部２６内に保存されているプログラム自体が置き換えられるか、若しくはプログラムの保存されているＣＤ−ＲＯＭ、磁気ディスク、フレキシブル磁気ディスク等が交換される（インストール／転送される）ことで行われる。
【００３２】
また、プログラム／データ記憶部２７のＥＰＲＯＭに保存されたプログラムを専用に実行するコンピュータ装置の場合には、同じように、ＣＤ−ＲＯＭ、磁気ディスク、フレキシブル磁気ディスク等が交換される（インストール／転送される）ことに呼応してＥＰＲＯＭ等の書き換えが行われるか、またはＲＯＭ自体の交換によって達成される。
【００３３】
なお、このプログラムの新規置き換えは、場合によって、上記インターフェース部５を通じて、インターネット回線、電話回線、公衆回線またはＬＡＮ回線を介して接続されている他のコンピュータなどの外部装置から送られてくる。つまり、コンピュータ装置（全体回路）で実行されるプログラムが、情報記憶部２６に対して直接的に交換されたり、インターネットなどの通信網を介して国内外の外部装置から送られてきたもので交換されたりする。
【００３４】
したがって、場合によって、重量報知装置（全体回路）において実行されるプログラムが、起動の度毎に、国内外の外部装置から送られてくる。つまり、重量報知装置の情報記憶部２６に応用プログラムが保存されておらず、国内外の外部装置から送られてくるプログラムを実行する端末装置の役目のみが、本発明の重量報知装置（全体回路）に与えられる。さらには、国内外の外部装置からプログラムとそのプログラムによって処理されるデータが共に送られてきて、そのプログラムによってデータ処理がなされた後、その結果が国内外の外部装置に送り返される。
【００３５】
また、コンピュータ装置で実行されるプログラムは、場合によって、ＯＳなどの基本プログラムを基に、応用プログラムが実行されるような、一般的なコンピュータシステムによるプログラムであり、ＯＳを含む統一化された一つのプログラムのみが実行される専用のコンピュータシステムである。よって、それらの統一化されたプログラムが国内外の外部装置から与えられるし、応用プログラムまたは基本プログラムまたはプログラムの一部のみが国内外の外部装置から送られてきて実行される。
【００３６】
なお、場合によって、本コンピュータ装置に予め別のオペレーティングシステム、システムプログラム（ＯＳ）、その他のプログラムが記憶され、上記プログラムはこれらのＯＳ、その他のプログラムとともに実行される。このプログラムは本装置（コンピュータ本体）にインストールされ実行されるときに、別のプログラムとともにまたは単独で請求項（特許請求の範囲）または末尾の他の発明の効果の各請求項に記載された処理・機能を実行させる。
【００３７】
また、場合によって、このプログラムの一部または全部が本装置以外の１つ以上の国内外の別装置に記憶されて実行され、本装置と別装置との間には通信手段を介して、これから処理するデータ／既に処理されたデータ／プログラムが送受され、本装置及び別装置全体として、本発明が実行される。これらの通信手段はインターネット通信システムなどである。
【００３８】
（３）今回合算重量データ、前回合算重量データ、減少重量データ、減少時間データ、補充重量データを算出・記憶する処理
図５、図６及び図７は、今回合算重量データ、前回合算重量データ、減少重量データ、減少時間データ、補充重量データを算出・記憶する処理（全体処理）のフローチャートを示す。
【００３９】
上記コントローラ２１または情報記憶部２６には、減少重量モードフラグ、減少時間モードフラグ、補充重量モードフラグ、今回合算重量データ、前回合算重量データ、時間カウントデータ、上記減少重量データ、減少時間データ、補充重量データなどの上記各種データが記憶される。
【００４０】
減少重量モードフラグは上記減少重量データを設定するモードを示し、減少時間モードフラグは上記減少時間データを設定するモードを示し、補充重量モードフラグは上記補充重量データを設定するモードを示す。
【００４１】
今回合算重量データは、上記入力部２３の重量計測装置１から取り込まれる、新しく今回取り込まれた合算重量データであり、前回合算重量データは、今回合算重量データの取り込み前に、前回の処理で取り込まれていた合算重量データである。時間カウントデータは、クロックパルスなどに基づいてカウントされる時間のデータである。
【００４２】
図５及び図６の処理は電源投入によって開始され、まず、イニシャライズ処理が実行され（ステップ０１）、上記情報記憶部２６、プログラム／データ記憶部２７のエラーチェック、その他の初期化が行われる。
【００４３】
次いで、自己の重量計測装置１からの重量データと、各インターフェース部２５を通じて外部接続された重量計測装置１からの重量データとを合算した合算重量データにつき、前回の重量データと今回の重量データとが比較され、変化があれば（ステップ０２）、今回合算重量データが前回合算重量データとされ（ステップ０３）、上記全ての重量データが合算されて新たな今回合算重量データとされる（ステップ０３）。
【００４４】
また、メイン設定スイッチ２がオンされれば（ステップ１１）、このオンが５秒以上継続されたとき（ステップ１２〜１３）、減少重量モードではない場合（ステップ１４）、減少重量モードが設定され（ステップ１５）、メイン設定ＬＥＤ３の点滅が開始される（ステップ１６）。減少重量モードのときには（ステップ１４）、減少重量モードフラグ、減少時間モードフラグ、補充重量モードフラグなどの全フラグがクリアされ（ステップ１８）、メイン設定ＬＥＤ３が消灯される（ステップ１９）。減少重量モードでは、報知を行うための上記減少重量が設定される。
【００４５】
上記減少重量モードが設定された直後に、操作者は、重量計測装置１の上に積まれ載置された品物Ｇを実際に取り除いて減少させ、異常として報知したい分を減少させる。例えば、品物Ｇ１〜２つ分の重量の減少であれば、正規の購入であり、品物３つ以上の重量の減少であれば万引き・盗難などの異常である。これにより、減少された新たな今回合算重量データが取り込まれる（ステップ０２〜０４）。
【００４６】
ここで、サブ設定スイッチ４がオンされれば（ステップ３１）、減少重量モードのとき（ステップ３２）、上記ステップ０３〜０４で記憶された、減少前の前回合算重量データから今回合算重量データが差し引かれて算出され、これが減少重量データとして記憶される（ステップ３３）。これにより、品物Ｇの実際の減少重量が、万引き・盗難などの異常を報知するための減少重量データとして設定される。
【００４７】
そして、減少重量モードがクリアされ（ステップ３４）、サブ設定ＬＥＤ５が１秒間点灯され（ステップ３５）、減少時間モードが設定される（ステップ３６）。これにより、減少重量モードが解除される。減少時間モードでは、報知を行うための上記所定時間が設定される。
【００４８】
また、上記サブ設定スイッチ４がオンされた場合（ステップ３１）、減少時間モードのとき（ステップ４２）、このサブ設定スイッチ４がオンされ続けられている時間がカウントされる（ステップ４３〜４４）。この時間カウントデータは、減少時間データとして記憶される（ステップ４５）。これにより、実際にサブ設定スイッチ４を押している時間が、報知を行うための減少時間データとして設定される。
【００４９】
次いで、減少時間モードがクリアされ（ステップ４６）、サブ設定ＬＥＤ５が１秒間点灯され（ステップ４７）、補充重量モードが設定される（ステップ４８）。これにより、減少時間モードが解除される。補充重量モードでは、品物Ｇが減ったとき品物Ｇを補充すべき重量が設定される。
【００５０】
上記補充重量モードが設定された直後に、操作者は、重量計測装置１の上に積まれ載置された品物Ｇを実際に取り除いて減少させ、品物Ｇが減ったとき品物Ｇを補充したい時の状態にする。例えば、品物Ｇが残り２つ分になったとき、補充をしたければ、この残り２つ分まで減少させればよい。これにより、減少された新たな今回合算重量データが取り込まれる（ステップ０２〜０４）。
【００５１】
ここで、上記サブ設定スイッチ４がオンされた場合（ステップ３１）、補充重量モードのとき（ステップ５２）、このときの上記ステップ０４の今回合算重量データが、補充重量データとして記憶される（ステップ５３）。これにより、品物Ｇの実際の減少重量が、品物Ｇが減ったとき品物Ｇを補充したい補充重量データとして設定される。そして、補充重量モードがクリアされ（ステップ５５）、サブ設定ＬＥＤ５が１秒間点灯され（ステップ５５）これにより、補充重量モードが解除される。
【００５２】
上記ステップ３４、３６の処理で、上記減少重量モードの設定と、上記減少時間モードの設定とが択一的に制御される。また、上記ステップ４６、４８の処理で、上記補充重量モードの設定と、上記減少重量モードの設定とが択一的に制御される。
【００５３】
（４）異常・補充の報知処理（ステップ６２）
上記図７において、上記ステップ２０によって全フラグがクリアされていれば（ステップ６１）、異常・補充の報知処理（ステップ６２）が実行される。図８は、このステップ６２の異常・補充の報知処理、すなわち、品物Ｇの減少が異常なとき、品物Ｇの補充が必要なとき、報知をする処理のフローチャートを示す。
【００５４】
上記ステップ０３〜０４で記憶された、今回合算重量データを前回合算重量データとし（ステップ７１）、前回合算重量データから今回合算重量データが差し引かれて算出され（ステップ７２）、この算出された重量差データが上記減少重量データ以上であれば（ステップ７３）、上記出力部２４を通じて、無線発信機２８から無線受信機２９へ報知信号が発信され、報知装置３０より店内放送などを通じて警報などの異常報知がなされる（ステップ７４）。
【００５５】
次いで、時間カウントデータが上記減少時間データ以上になるまで（ステップ７６）、時間データがカウントされ（ステップ７５）、この減少時間データ分の間、上記ステップ７２〜７４の品物Ｇの異常減少の検知処理が繰り返され、一回でも重量差データが減少重量データ以上になれば異常報知が行われる（ステップ７４）。
【００５６】
この間、今回合算重量データは新しいものに更新されていく。この減少時間データの間、一回も重量差データが減少重量データ以上にならなければ、品物Ｇの異常減少の検知処理は行われない。
【００５７】
そして、上記今回合算重量データが補充重量データ以下になれば（ステップ７７）、上記出力部２４を通じて、無線発信機２８から無線受信機２９へ報知信号が発信され、報知装置３０より店内放送などを通じて補充案内などの補充報知がなされる（ステップ７８）。これにより、品物Ｇが減った時すぐに品物Ｇを補充できる。
【００５８】
（５）他の実施の形態
本発明は、上記実施例に限定されず、種々変更可能である。例えば、本重量報知装置、重量報知方法、重量報知のためのコンピュータプログラムは、複数の国、国内外に分散して設けられた装置、プログラムによって、実行されてもよい。
【００５９】
上記無線発信機２及び無線受信機２９は、省略されてもよく、この場合、報知装置３０が重量計測装置１の複数ピンの電気端子またはＬＡＮ出力ジャック７に接続される。この報知装置３０は、警報ランプ、音声出力装置でもよい。警報ランプは回転灯のように注意を引きつける表示体である。音声出力装置は、例えば「たいへんたくさんのお買い上げどうもありがとうございました。」という、当事者にしかわからない、音量の大きな警報の音声でもよい。通常の正規の購入の場合には、ステップ７３でＮＯの後に、「ありがとうございました。」の通常の音量での音声出力がなされて区別されてもよい。
【００６０】
上記重量計測装置１の上に品物Ｇが乗せられるが、重量計測装置１から吊り下げられた皿などに品物Ｇが載置されてもよいし、重量計測装置１は床に設置されるほか、上下に並んだ棚の上などに設置されてもよい。
【００６１】
品物Ｇは、飲料、米のほか、穀物、野菜、魚介類、肉類、ペットフード、その他の食品でもよいし、薬、パソコン、テレビ、ＤＶＤレコーダー、その他の電気製品、自転車、タイヤ、カー用品、その他の自動車関連品、乗り物関連品、書籍、ＣＤ、ＤＶＤなどの印刷物など、園芸品、建築材、各種機械、機械部品、機械要素、文房具、雑貨、家具、寝具、工具、化粧品、香水、木材、被服、履物、宝石、貴金属など、何でもよいし、袋、箱、容器などの包装手段に包装されていても包装されていなくてもよい。
【００６２】
品物Ｇは、店舗などで販売されている商品のほか、工場における部品または製品、鉱業の現場の採掘品、農林業の収穫物・飼育物、水産業の採取物・養殖物、その他の物品を含む。品物Ｇは、トラクター、ショベルカー、パワーリフトなどの特殊車両、乗用車、トラック、バス、バイク、自転車、その他の車両、船舶、航空機でもよい。この場合、報知は、積み上げた品物Ｇが倒れる事故、窃盗、在庫減少、生産ラインの供給部品減少、その他の重量減少の異常につき実行される。
【００６３】
重量計測装置１の上に設置される板、またはパレットは、平坦であったが、球面状、円筒面状など、湾曲していてもよいし、凹凸があってもよいし、陳列棚、商品棚そのもの、大きな収納箱そのものなど、多数の品物Ｇを全体として収納できてもよい。
【００６４】
複数の重量計測装置１は同形同大であったが、異なる形、異なる大きさでもよい。メイン設定スイッチ２及びサブ設定スイッチ４は、キーボード、マウス、テンキー、タッチパネル、その他の入力手段であってもよい。メイン設定ＬＥＤ３及びサブ設定ＬＥＤ５は、液晶表示装置、その他のディスプレイ、プリンタ、音声出力装置であってもよい。
【００６５】
上記図８のステップ７３でＮＯのとき、重量差異データが「０」でなければ、品物Ｇの販売として、この販売量が、販売時刻とともに記憶されてよい。ステップ０２〜０４の今回合算重量データ及び前回合算重量データの設定処理は、ステップ７１の前に実行されてもよい。ステップ１８、２０、３４、４６、５４のフラグのクリア処理、ステップ１５、３６、４８のフラグのセット処理の一部または全文は省略されてもよいし、これらの処理は他のステップの間に移動されてもよい。
【００６６】
上記ステップ０２〜０４の今回合算重量データ及び前回合算重量データの設定処理、ステップ１１〜２０のデータ入力モードの設定処理、上記ステップ３２〜３６の減少重量データ設定処理、上記ステップ４２〜４８の減少時間データの設定処理、上記ステップ５２〜５５の補充重量データの設定処理、上記ステップ６１〜６２（ステップ７１〜７８）の異常・補充の報知処理の順番は入れ替わってもよく、設定の順番は上記のものに限られない。
【００６７】
上記図５〜図８の各フローチャートにおいては、それぞれの処理の順番は一部入れ変えてもよいし、一部省略されてもよいし、各ステップが均等の他の処理に置き換えられてもよいし、同等の機能を発揮するハードまたは回路で一部または全部が置き換え可能である。
【００６８】
減少時間データは省略され、上記ステップ４２〜４８の減少時間データの設定処理は省略され、減少時間データはあらかじめ固定のものでもよい。減少重量データは省略され、上記ステップ３２〜３６の減少重量データ設定処理は省略され、減少重量データはあらかじめ固定のものでもよい。補充重量データは省略され、上記ステップ５２〜５５の補充重量データ設定処理は省略され、補充重量データはあらかじめ固定のものでもよい。
【００６９】
上記図４の全体回路の重量計測装置１、メイン設定スイッチ２、メイン設定ＬＥＤ３、サブ設定スイッチ４、サブ設定ＬＥＤ５、ＬＡＮ入力ジャック６、ＬＡＮ出力ジャック７、コントローラ２１、アドレス／データバスライン２２、入力部２３、出力部２４、インターフェース部２５、情報記憶部２６、プログラム／データ記憶部２７、無線発信機２８、無線受信機２９、報知装置３０、重量報知装置は、単数でも複数でも３つ以上でもよいし、これらそれぞれの一部または全体は省略されてもよいし、分割分離されてその数が増えても減ってもよいし、その形状は任意に変更可能であり、均等の他の物に置き換えられてもよいし、これらの２つまたは３つ以上が合体または一体化されて兼用されてもよい。
【００７０】
例えば、メイン設定スイッチ２とサブ設定スイッチ４とが合体されたり、３つ以上に分離されたり、メイン設定ＬＥＤ３とサブ設定ＬＥＤ５とが合体されたり、３つ以上に分離されたり、ＬＡＮ入力ジャック６とＬＡＮ出力ジャック７とが合体されたり、３つ以上に分離されたり、コントローラ２１、情報記憶部２６及びプログラム／データ記憶部２７が合体されたり、３つ以上に分離されたり、入力部２３、出力部２４及びインターフェース部２５が合体されたり、３つ以上に分離されたりしてもよい。
【００７１】
（６）他の発明の効果
［１］複数の品物が載置されて、この複数の品物の重量を計測する重量計測機構と、  この計測される重量が、所定時間内に所定重量減少したときに、報知を行う報知手段と、を備えた重量報知装置において、  上記減少する所定重量を設定する減少重量モードを設定し、  この減少重量モードの設定時に、上記重量計測機構から実際に上記品物を減少させて、この重量の減少前の重量を上記重量計測機構から取り込んで記憶し、さらにこの重量の減少後の重量を上記重量計測機構から取り込んで記憶し、これら減少前後の重量から当該品物の重量の減少量を算出し、この算出量を上記報知を行うための上記所定重量として記憶し、  上記報知を行うための上記所定時間を設定する減少時間モードを設定し、  この減少時間モードの設定時に、実際に時間を設定して、この設定された時間を、上記報知を行うための上記所定時間として記憶することを特徴とする重量報知方法。これにより、品物が異常に減ったとき報知する場合の、減少重量とその減少時間を任意の値で設定できる。
【００７２】
［２］複数の品物が載置されて、この複数の品物の重量を計測する重量計測機構と、  この計測される重量が、所定時間内に所定重量減少したときに、報知を行う報知手段と、を備えたコンピュータに対して、  上記減少する所定重量を設定する減少重量モードを設定する処理と、  この減少重量モードの設定時に、上記重量計測機構から実際に上記品物を減少させて、この重量の減少前の重量を上記重量計測機構から取り込んで記憶し、さらにこの重量の減少後の重量を上記重量計測機構から取り込んで記憶し、これら減少前後の重量から当該品物の重量の減少量を算出し、この算出量を上記報知を行うための上記所定重量として記憶する処理と、  上記報知を行うための上記所定時間を設定する減少時間モードを設定する処理と、  この減少時間モードの設定時に、実際に時間を設定して、この設定された時間を、上記報知を行うための上記所定時間として記憶する処理を実行させる重量報知のためのコンピュータプログラム。これにより、品物が異常に減ったとき報知する場合の、減少重量とその減少時間を任意の値で設定できる。
【００７３】
［３］複数の品物が載置されて、この複数の品物の重量を計測する重量計測機構と、  この計測される重量が、所定時間内に所定重量減少したときに、報知を行う報知手段と、  上記減少する所定重量を設定する減少重量モードを設定する手段と、  この減少重量モードの設定時に、上記重量計測機構から実際に上記品物を減少させて、この重量の減少前の重量を上記重量計測機構から取り込んで記憶し、さらにこの重量の減少後の重量を上記重量計測機構から取り込んで記憶し、これら減少前後の重量から当該品物の重量の減少量を算出し、この算出量を上記報知を行うための上記所定重量として記憶する手段と、  上記報知を行うための上記所定時間を設定する減少時間モードを設定する手段と、  この減少時間モードの設定時に、実際に時間を設定して、この設定された時間を、上記報知を行うための上記所定時間として記憶する手段とを備えたことを特徴とする重量報知装置。これにより、品物が異常に減ったとき報知する場合の、減少重量とその減少時間を任意の値で設定できる。
【００７４】
［４］上記品物が減って品物を補充するにあたり、この補充すべき品物の重量を設定する補充重量モードを設定する手段と、  この補充重量モードの設定時に、上記重量計測機構から実際に上記品物を減少させて、このときの重量を上記重量計測機構から取り込んで記憶し、上記報知を行うための補充の所定重量として記憶する手段と、をさらに備えたことを特徴とする請求項３記載の重量報知装置。  これにより、品物が減ったとき品物を補充すべき重量を任意の値で設定できる。
【００７５】
［５］上記減少重量モードの設定と、上記減少時間モードの設定とを択一的に制御する手段をさらに備えたことを特徴とする請求項３記載の重量報知装置。これにより減少重量モードの設定と、減少時間モードの設定とを、同じ入力手段で兼用できる。
【００７６】
［６］上記補充重量モードの設定と、上記減少重量モードの設定とを択一的に制御する手段をさらに備えたことを特徴とする請求項４記載の重量報知装置。これにより補充重量モードの設定と、減少重量モードの設定とを、同じ入力手段で兼用できる。
【００７７】
［７］上記重量計測機構は、複数に分けられ、この複数のそれぞれがデータ送受手段を有し、各データ送受手段を通じて上記品物の重量のデータが上記記憶する手段に送られ、この記憶する手段は、これらの複数の重量のデータを合算して、上記算出及び記憶をすることを特徴とする請求項３または５記載の重量報知装置。これにより、複数の重量計測機構で分散して、多くの品物の減少重量データを検知でき、巨大な重量計測機構を用意しなくても済む。
【００７８】
［８］上記重量計測機構は、複数に分けられ、この複数のそれぞれがデータ送受手段を有し、各データ送受手段を通じて上記品物の重量のデータが上記記憶する手段に送られ、この記憶する手段は、これらの複数の重量のデータを合算して、上記記憶をすることを特徴とする請求項４または６記載の重量報知装置。これにより、複数の重量計測機構で分散して、多くの品物の補充重量データを検知でき、巨大な重量計測機構を用意しなくても済む。
【産業上の利用可能性】
【００７９】
正規の購入時の重量変化と盗難などの異常時の重量変化とを区別して報知し、報知のための重量データを実際の現場に即した状態で設定する。減少重量モードの時（ステップ３２）、実際の盗難を想定して重量計測装置１から品物Ｇを実際に減少させ、この重量の減少前後の重量差を算出して減少重量データとして記憶する（ステップ３３）。
【００８０】
時間モードの時（ステップ４２）、時計などを見ながら、実際の盗難時間を想定してサブ設定スイッチ４を実際に押し続けて（ステップ３１、４３、４４）、この押し続けられた時間カウントデータを減少時間データとして記憶する（ステップ４５）。
【００８１】
実際に品物を補充すべき状態まで重量計測装置１から品物Ｇを実際に減少させ、この重量を補充重量データとして記憶する（ステップ５３）。減少時間データ内に（ステップ７５〜７６）、減少重量データ以上減少したら（ステップ７１〜７３）、異常報知をし（ステップ７４）、補充重量以下となったら（ステップ７７）、補充報知をする。
【図１】
2015102369.tif 000003
【図２】
2015102369.tif 000004
【図３】
2015102369.tif 000005
【図４】
2015102369.tif 000006
【図５】
2015102369.tif 000007
【図６】
2015102369.tif 000008
【図７】
2015102369.tif 000009
【図８】
2015102369.tif 000010